(57)【要約】【課題】フィルターの目詰まりを検知した場合に簡易な構成で確実に光変調装置等の異常な温度上昇を抑制できるプロジェクターを提供する。【解決手段】光束を変調して投写するプロジェクター１は、光束を射出する光源装置３０と、光束を変調する光変調装置３６と、光源装置３０から光変調装置３６に入射する光束の光量を調整する調光装置３３と、光源装置３０、光変調装置３６、および調光装置３３を内部に収納する外装ケース２と、外装ケース２の内部に空気を導入する吸気口４０と、吸気口４０に配置されたフィルター４１と、フィルター４１の目詰まりを検出する検出部２０と、少なくとも調光装置３３を制御する制御部１０とを備える。制御部１０は、検出部２０によりフィルター４１の目詰まりが検出された場合に、光束の光量が減少するように調光装置３３を制御する。【選択図】図１
2012032583.tif 000002
【特許請求の範囲】
【請求項１】
光束を変調して投写するプロジェクターであって、
前記光束を射出する光源装置と、
前記光束を変調する光変調装置と、
前記光源装置から前記光変調装置に入射する前記光束の光量を調整する調光装置と、
前記光源装置、前記光変調装置、および前記調光装置を内部に収納する外装ケースと、
前記外装ケース内部に空気を導入する吸気口と、
前記吸気口に配置されたフィルターと、
前記フィルターの目詰まりを検出する検出部と、
少なくとも前記調光装置を制御する制御部と、を備え、
前記制御部は、前記検出部により前記フィルターの目詰まりが検出された場合に、前記光変調装置に入射する前記光束の光量が減少するように前記調光装置を制御することを特徴とするプロジェクター。
【請求項２】
請求項１に記載のプロジェクターであって、
前記吸気口から導入された空気を送風して前記光変調装置を冷却する冷却ファンをさらに備え、
前記制御部は、前記検出部により前記フィルターの目詰まりが検出された場合に、前記冷却ファンの回転数が増加するように前記冷却ファンを制御することを特徴とするプロジェクター。
【請求項３】
請求項１または２に記載のプロジェクターであって、
前記検出部は、前記外装ケース内部の温度を検出する内部温度検出部と、前記外装ケース外部の温度を検出する外部温度検出部と、を備え、前記内部温度検出部により検出された温度と前記外部温度検出部により検出された温度との差が所定値以上となった場合に、前記フィルターの目詰まりとして検出することを特徴とするプロジェクター。
【請求項４】
請求項１または２に記載のプロジェクターであって、
前記検出部は、前記外装ケース内部の風量を検出する風量検出部を備え、前記風量検出部で検出された風量が所定値以下となった場合に、前記フィルターの目詰まりとして検出することを特徴とするプロジェクター。
【請求項５】
請求項１〜４のいずれか一項に記載のプロジェクターであって、
前記制御部は、前記検出部により前記フィルターの目詰まりが検出された場合に、投写される画像に前記フィルターの目詰まりが発生した旨の警告表示を行なうことを特徴とするプロジェクター。
【請求項６】
請求項１〜５のいずれか一項に記載のプロジェクターであって、
前記外装ケースの外面に設置されたインジケーター部をさらに備え、
前記制御部は、前記検出部により前記フィルターの目詰まりが検出された場合に、前記インジケーター部を点灯または点滅させて、前記フィルターの目詰まりが発生した旨の警告表示を行なうことを特徴とするプロジェクター。
【発明の詳細な説明】
【技術分野】
【０００１】
本発明は、プロジェクターに関する。
【背景技術】
【０００２】
光源装置から射出された光束を光変調装置で変調してスクリーン等に投写するプロジェクターの多くは、外部の空気を外装ケース内部に導入して、光束の入射により発熱する光変調装置等の光学部材を冷却している。空気を導入する吸気口には防塵用のフィルターが設置されているが、時間の経過とともにフィルターに塵埃が蓄積して目詰まりが発生すると、空気の導入量が減少して冷却効率が低下し、光学部材の温度が異常に上昇して故障や品質劣化を起こしてしまう。
【０００３】
そこで、フィルターの目詰まりを検知して、光学部材の異常な温度上昇を抑えるプロジェクターが提案されている（例えば、特許文献１参照）。特許文献１に記載のプロジェクターでは、フィルターの目詰まりを検知すると、光源装置に加えられる電力を遮断または低下させる動作を行うか、あるいは、吸気ファンの回転数を増加させる動作を行い、光学部材の異常な温度上昇の抑制を図っている。
【先行技術文献】
【特許文献】
【０００４】
【特許文献１】特開２００７−７８７３４号公報
【発明の概要】
【発明が解決しようとする課題】
【０００５】
しかしながら、光源装置に加えられる電力を低下させる方法では、通常時の駆動電圧とそれよりも低い駆動電圧とを供給可能とするために電源部の構成が複雑になり、通常時よりも低い駆動電圧が光源装置の定格外の電圧であれば光源装置の寿命劣化を招くおそれがある。また、プロジェクターを使用している最中に電力を遮断する場合には、会議を中断させてしまう等使用者に不都合を強いることとなる。
一方、吸気ファンの回転数を増加させる方法では、フィルターが目詰まりしていることによって、回転数を増加させても十分な風量が得られず冷却効率が低下して温度上昇を抑えることができないおそれがある。したがって、フィルターの目詰まりを検知した場合に、より簡易な構成でより確実に光学部材の異常な温度上昇を抑制できるプロジェクターが求められている。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクターは、光束を変調して投写するプロジェクターであって、前記光束を射出する光源装置と、前記光束を変調する光変調装置と、前記光源装置から前記光変調装置に入射する前記光束の光量を調整する調光装置と、前記光源装置、前記光変調装置、および前記調光装置を内部に収納する外装ケースと、前記外装ケース内部に空気を導入する吸気口と、前記吸気口に配置されたフィルターと、前記フィルターの目詰まりを検出する検出部と、少なくとも前記調光装置を制御する制御部と、を備え、前記制御部は、前記検出部により前記フィルターの目詰まりが検出された場合に、前記光変調装置に入射する前記光束の光量が減少するように前記調光装置を制御することを特徴とする。
【０００８】
この構成によれば、検出部によりフィルターの目詰まりが検出された場合、制御部は、調光装置を制御して光源装置から光変調装置に入射する光束の光量を減少させる。光変調装置に入射する光束の光量が減少することにより、光変調装置の発熱が抑制されるので、光変調装置の異常な温度上昇による故障や寿命劣化を抑えることができる。また、調光装置を制御することで光変調装置に入射する光束の光量を減少させるので、光源装置は通常の点灯状態を維持できる。これにより、プロジェクターの利便性を損なうことなく、簡易な構成で光変調装置の異常な温度上昇を抑制でき、故障が少なく長寿命化が図られたプロジェクターを提供できる。
【０００９】
［適用例２］上記適用例に係るプロジェクターであって、前記吸気口から導入された空気を送風して前記光変調装置を冷却する冷却ファンをさらに備え、前記制御部は、前記検出部により前記フィルターの目詰まりが検出された場合に、前記冷却ファンの回転数が増加するように前記冷却ファンを制御することが好ましい。
【００１０】
この構成によれば、検出部によりフィルターの目詰まりが検出された場合、制御部は、光変調装置を冷却する冷却ファンの回転数を増加させる。このため、フィルターの目詰まりによる冷却風の風量の減少が冷却ファンの回転数増加により補われるので、光変調装置の冷却効率の低下を抑えることができる。調光装置の制御により発熱が抑制されることに加えて冷却効率の低下が抑えられるので、光変調装置の故障や寿命劣化をより効果的に抑えることができる。
【００１１】
［適用例３］上記適用例に係るプロジェクターであって、前記検出部は、前記外装ケース内部の温度を検出する内部温度検出部と、前記外装ケース外部の温度を検出する外部温度検出部と、を備え、前記内部温度検出部により検出された温度と前記外部温度検出部により検出された温度との差が所定値以上となった場合に、前記フィルターの目詰まりとして検出することが好ましい。
【００１２】
この構成によれば、検出部は、内部温度検出部で検出された外装ケース内部の温度と、外部温度検出部で検出された外装ケース外部の温度との差が所定値以上となった場合に、フィルターの目詰まりとして検出する。このように、内部温度と外部温度との差に基づいて目詰まりを検出するので、目詰まりを容易に検出できるとともに、検出部を簡易に構成することができる。
【００１３】
［適用例４］上記適用例に係るプロジェクターであって、前記検出部は、前記外装ケース内部の風量を検出する風量検出部を備え、前記風量検出部で検出された風量が所定値以下となった場合に、前記フィルターの目詰まりとして検出することが好ましい。
【００１４】
この構成によれば、風量検出部で検出された風量が所定値以下となった場合に、フィルターの目詰まりとして検出する。このように、風量に基づいて目詰まりを検出するので、目詰まりを容易に検出できるとともに、検出部を簡易に構成することができる。
【００１５】
［適用例５］上記適用例に係るプロジェクターであって、前記制御部は、前記検出部により前記フィルターの目詰まりが検出された場合に、投写される画像に前記フィルターの目詰まりが発生した旨の警告表示を行なうことが好ましい。
【００１６】
この構成によれば、スクリーン等の投写対象面に投写される画像に警告表示を行なうことにより、フィルターの目詰まりが発生したことを使用者に効果的に知らせることができる。
【００１７】
［適用例６］上記適用例に係るプロジェクターであって、前記外装ケースの外面に設置されたインジケーター部をさらに備え、前記制御部は、前記検出部により前記フィルターの目詰まりが検出された場合に、前記インジケーター部を点灯または点滅させて、前記フィルターの目詰まりが発生した旨の警告表示を行なうことが好ましい。
【００１８】
この構成によれば、外装ケースの外面に設置されたインジケーター部を点灯または点滅して警告表示を行なうことにより、フィルターの目詰まりが発生したことを使用者に効果的に知らせることができる。
【図面の簡単な説明】
【００１９】
【図１】本実施形態に係るプロジェクターの概略構成を示すブロック図。
【図２】本実施形態に係るプロジェクターの応急状態における冷却制御動作を示すフローチャート。
【発明を実施するための形態】
【００２０】
以下に、本発明の一実施形態について図面を参照して説明する。なお、参照する各図面において、構成をわかりやすく示すため、各構成要素の寸法の比率、角度等は適宜異ならせてある。
【００２１】
＜プロジェクターの構成＞
まず、本実施形態に係るプロジェクターの概略構成について、図１を参照して説明する。図１は、本実施形態に係るプロジェクターの概略構成を示すブロック図である。本実施形態に係るプロジェクター１は、光源装置３０から射出される光束を、画像情報に応じて光変調装置３６で変調してスクリーンＳ等の投写対象面に拡大投写する電子機器である。
【００２２】
図１に示すように、プロジェクター１は、外装ケース２と、光学ユニット３と、吸気ファン４３と、排気ファン４６と、制御部１０と、電源部１１と、画像処理部１２と、光変調装置駆動部１３と、調光装置制御部１４と、光源装置制御部１５と、冷却ファン制御部１６と、検出部２０と、インジケーター部４８とを備えている。光学ユニット３をはじめとするこれらの構成部材は、外装ケース２内部に収納されている。
【００２３】
光学ユニット３は、光源装置３０と、調光装置３３と、光変調装置３６と、投写光学装置３８とを備えている。
【００２４】
光源装置３０は、超高圧水銀ランプやメタルハライドランプ等からなる放電型の光源ランプ３１と、光源ランプ３１から射出された光束を光変調装置３６側に反射するリフレクター３２とを有している。光源装置３０は、光源装置制御部１５により所定の電力が供給されると、点灯して光束を射出する。照明光軸ＯＣは、光源装置３０から光変調装置３６側に射出される光束の中心軸である。
【００２５】
光源装置３０から射出された光束は、一対のレンズアレイを含むインテグレーター光学系（図示省略）によって複数の部分光束に分割され、各部分光束は略１種類の偏光光に揃えられる。インテグレーター光学系から射出された光束は、色分離光学系（図示省略）によって光の３原色である赤色（Ｒ）、緑色（Ｇ）、青色（Ｂ）の各色光に分離されて、光変調装置３６に入射する。
【００２６】
調光装置３３は、光源装置３０と光変調装置３６との間、例えば、インテグレーター光学系の一対のレンズアレイ同士の間に配置されている。調光装置３３は、例えば、照明光軸ＯＣを間に挟んで対向配置された一対の回動軸３４ａ，３４ｂと、回動軸３４ａ，３４ｂに支持されて回動する一対の遮光部材３５ａ，３５ｂとを備えている。調光装置３３は、調光装置制御部１４により制御され、遮光部材３５ａ，３５ｂを回動させて、光源装置３０から射出された光束を遮蔽する領域を変化させることにより、調光装置３３を通過する光束の光量、すなわち光変調装置３６に入射する光束の光量を調整する。
【００２７】
なお、図１では、光束を遮蔽する領域が最大となる遮光部材３５ａ，３５ｂの位置を実線で示し、光束を遮蔽する領域が最小となる遮光部材３５ａ，３５ｂの位置を破線で示し、それらの中間の位置を２点鎖線で示している。調光装置３３の構成は、上記の形態に限定されるものではなく、公知の構成とすることができる。
【００２８】
光変調装置３６は、３枚の液晶パネルと、各液晶パネルの入射側および射出側に配置された偏光板とを有している（具体的な図示は省略）。各液晶パネルは、一対の透明基板とその間に封入された液晶とで構成され、マトリクス状に配列された複数の画素を有している。各画素は、光変調装置駆動部１３により画像データに応じた駆動電圧が印加されると、その画像データに応じた光透過率に設定される。これにより、光変調装置３６に入射した光束は、Ｒ、Ｇ、Ｂの色光毎に各液晶パネルを透過することによって変調される。
【００２９】
光変調装置３６（液晶パネルおよび偏光板）は、入射する光束を吸収することにより発熱し温度上昇し易い。光変調装置３６が異常に温度上昇して高温に晒されると故障や品質の劣化を招くため、光変調装置３６の冷却を良好に行うことが望ましい。
【００３０】
光変調装置３６によって変調されたＲ、Ｇ、Ｂの各色光は、色合成光学系（図示省略）によって画素毎に合成され、投写光学装置３８によりスクリーンＳ等の投写対象面に拡大投写される。投写光学装置３８は、複数のレンズを組み合わせた組レンズで構成される。
【００３１】
外装ケース２には、吸気口４０と排気口４５とが設けられている。吸気口４０にはダクト４２が接続され、ダクト４２の内部には吸気ファン４３が配置されている。吸気ファン４３が回転すると、外部の空気がダクト４２を通ってプロジェクター１内部（外装ケース２内部）に導入され、光変調装置３６やその周辺の光学部材に向けて送風される。これにより、温度上昇し易い光変調装置３６やその周辺の光学部材が冷却される。
【００３２】
吸気口４０には、導入される空気中に含まれる塵埃が外装ケース２内部へ進入しないように、フィルター４１が配置されている。吸気口４０から導入される空気中に含まれる塵埃は、フィルター４１の表面（外側面）に付着する。
【００３３】
排気口４５の近傍には、排気ファン４６が配置されている。排気ファン４６が回転すると、外装ケース２内部の空気が排気口４５から排出される。これにより、光変調装置３６やその周辺の光学部材を冷却して温められた空気がプロジェクター１外部に排出される。
【００３４】
吸気ファン４３および排気ファン４６は、プロジェクター１の内部を冷却するための冷却ファンに相当し、例えば、モーター等の駆動装置が一体化された軸流ファンやシロッコファン等によって構成される。冷却ファン制御部１６は、駆動電圧を出力して吸気ファン４３および排気ファン４６を駆動し、吸気ファン４３および排気ファン４６の回転数（回転速度）を制御する。冷却ファン制御部１６は、フィルター４１の目詰まりが検出された場合（後述する応急状態となった場合）、制御部１０の指示に基づいて吸気ファン４３の回転数を増加させる。
【００３５】
制御部１０は、ＣＰＵ（Central Processing Unit）と、各種データ等の一時記憶に用いられるＲＡＭ（Random Access Memory）と、プロジェクター１の動作を制御するための制御プログラムおよび各種設定データ等を記憶するマスクＲＯＭ（Read Only Memory）やフラッシュメモリー等の不揮発性のメモリー等とを備えている。制御部１０は、メモリーに記憶されている制御プログラムに従って動作することにより、プロジェクター１の動作を統括制御する。つまり、制御部１０は、コンピューターとして機能する。
【００３６】
電源部１１は、プロジェクター１の外部の商用電源等から電源ケーブル（図示省略）を介して交流電力を導き、内蔵するＡＣ／ＤＣ変換部（図示省略）で変圧、整流、平滑等の処理を行ない、安定化させた直流電圧をプロジェクター１を構成する各部に供給する。
【００３７】
画像処理部１２は、入力される画像データを、光変調装置３６（液晶パネル）の各画素の階調を表す画像データに変換する。変換された画像データは、Ｒ，Ｇ，Ｂの色光別になっており、各画素から射出される光の強弱（階調）を規定する複数の画素値によって構成されている。画像処理部１２は、制御部１０の指示に基づき、変換された画像データに対して、明るさ、コントラスト、シャープネス、色合い等を調整するための画質調整処理等を行い、処理後の画像データを光変調装置駆動部１３に出力する。
【００３８】
また、画像処理部１２は、制御部１０の指示に基づいて、メニュー画面やメッセージ画面等のＯＳＤ（On Screen Display）画像データを、入力される画像データに重畳する処理を行なう。制御部１０がＯＳＤ画像の重畳を指示すると、画像処理部１２は、必要なＯＳＤ画像データをメモリーから読み出し、入力画像の所定の位置にＯＳＤ画像が重畳されるように画像データを合成する。合成された画像データは、投写用映像信号として光変調装置駆動部１３に出力される。
【００３９】
さらに、画像処理部１２は、フィルター４１の目詰まりが検出された場合（後述する応急状態となった場合）、制御部１０の指示に基づいて、入力される画像データに、フィルター４１の目詰まりが発生した旨の警告表示を重畳する処理を行ない、処理後の画像データを光変調装置駆動部１３に出力する。
【００４０】
調光装置制御部１４は、制御部１０の指示に基づいて、調光装置３３を制御する。制御部１０のメモリーには、遮光部材３５ａ，３５ｂの回動角度と通過する光量との関係に基づく調光制御プログラムが記憶されている。制御部１０により、入力される画像データに基づいて画像の明るさ（光変調装置３６に入射する光束の光量）を制御する調光制御信号が出力されると、調光装置制御部１４はその調光制御信号に基づいて遮光部材３５ａ，３５ｂの回動を制御して、光変調装置３６に入射する光束の光量を調整する。
【００４１】
プロジェクター１では、調光装置３３により光変調装置３６に入射する光束の光量を調整できるので、例えば、明るい映像シーンでは光量が多くなり暗い映像シーンでは光量が少なくなるように、場面に応じて光束の光量を調整することにより、投写対象面に投写される画像において高いダイナミックコントラストを得ることができる。本実施形態では、このように画像データに基づいて光量を調整する調光制御を、通常調光制御と呼ぶ。
【００４２】
また、調光装置制御部１４は、フィルター４１の目詰まりが検出された場合（後述する応急状態となった場合）、制御部１０の指示に基づいて、光変調装置３６に入射する光束の光量が減少するように調光装置３３を制御する。本実施形態では、このように応急状態において光量を減少させる調光制御を、応急調光制御と呼ぶ。応急調光制御は、通常調光制御に割り込まれて行われる。
【００４３】
検出部２０は、フィルター４１の目詰まりを検出する。検出部２０は、検出制御部２１と、内部温度検出部２２と、外部温度検出部２４と、風量検出部２６とを備えている。
【００４４】
内部温度検出部２２は、サーミスター等で構成されている。内部温度検出部２２は、光変調装置３６の近傍に設置されており、内部温度、すなわち光変調装置３６の近傍の温度を光変調装置３６の温度として代用して検出する。外部温度検出部２４も、サーミスター等で構成されている。外部温度検出部２４は、外装ケース２の外面に設置されており、プロジェクター１を取り巻く周囲の温度である外部温度（外気温度）を検出する。内部温度検出部２２による内部温度の検査結果と外部温度検出部２４による外部温度の検査結果とは、検出制御部２１に出力される。
【００４５】
フィルター４１が目詰まりを起こすと、吸気口４０から導入される空気の量が減少して冷却効率が低下し、プロジェクター１の内部温度が外部温度に対して異常に上昇することとなる。そこで、検出制御部２１には、フィルター４１の目詰まりが発生したと考えられる内部温度と外部温度との差の所定値が予め設定されており、内部温度検出部２２および外部温度検出部２４により検出された内部温度と外部温度との差をこの所定値と比較することで、検出制御部２１はフィルター４１の目詰まりが発生したか否かを判断する。
【００４６】
風量検出部２６は、風量センサー等で構成されている。風量検出部２６は、ダクト４２の内部における吸気口４０の近傍に設置されており、プロジェクター１の外部から吸気口４０およびフィルター４１を介して導入される空気の風量（流速）を検出する。風量検出部２６による検出結果は、検出制御部２１に出力される。
【００４７】
吸気口４０から導入される空気中に含まれる塵埃がフィルター４１の表面に付着して目詰まりを起こすと、吸気口４０から空気が導入され難くなるため風量が減少することとなる。そこで、検出制御部２１にはフィルター４１の目詰まりが発生したと考えられる風量の所定値が予め設定されており、検出制御部２１は風量検出部２６による検出結果をこの所定値と比較することで、フィルター４１の目詰まりが発生したか否かを判断する。
【００４８】
検出制御部２１は、内部温度検出部２２および外部温度検出部２４で検出された内部温度と外部温度との差が所定値以上となった場合と、風量検出部２６で検出された空気の風量が所定値以下となった場合と、のいずれにおいても、フィルター４１の目詰まりが発生したと判断し、フィルター４１の目詰まりの検出を制御部１０に出力する。
【００４９】
制御部１０は、検出制御部２１からフィルター４１の目詰まりの検出が出力されると、目詰まりに対応する冷却制御動作を行うように、各制御部を制御する。本実施形態では、検出制御部２１でフィルター４１の目詰まりが検出され、制御部１０が目詰まりに対応する冷却制御動作を行う状態を応急状態と呼ぶ。また、検出制御部２１でフィルター４１の目詰まりが検出されていない状態を通常状態と呼ぶ。
【００５０】
インジケーター部４８は、ＬＥＤ（発光ダイオード）素子（図示省略）等で構成され、外装ケース２の外面に設置されている。インジケーター部４８は、検出制御部２１でフィルター４１の目詰まりが検出された場合、すなわち応急状態において、制御部１０の指示によってＬＥＤ素子を点灯または点滅等の所定の点灯パターンに基づいて点灯させることにより、フィルター４１の目詰まりが発生した旨の警告表示を行う。
【００５１】
＜応急状態における冷却制御動作＞
次に、本実施形態に係るプロジェクター１が通常状態で稼働中に、フィルター４１の目詰まりが検出された場合、すなわち応急状態における冷却制御動作について、図２を参照して説明する。図２は、本実施形態に係るプロジェクターの応急状態における冷却制御動作を示すフローチャートである。
【００５２】
まず、ステップＳ１１では、通常状態で稼働中に、フィルター４１の目詰まりが発生したか否かを検出する。ここでは、検出制御部２１が、内部温度検出部２２および外部温度検出部２４の検出結果と風量検出部２６の検出結果とに基づき、内部温度と外部温度との差が所定値以上となったか、風量が所定値以下となったかの少なくとも一方の場合において、フィルター４１の目詰まりとして検出する。
【００５３】
ステップＳ１１でフィルター４１の目詰まりが検出されると、制御部１０は応急状態における冷却制御動作を開始し、ステップＳ１２、ステップＳ１３、およびステップＳ１４に進む。ステップＳ１２、ステップＳ１３、およびステップＳ１４は並行して実行されるが、各ステップの実行開始は同時であってもよいし互いに前後してもよい。ステップＳ１１でフィルター４１の目詰まりが検出されなければ、通常状態における動作を継続し、ステップＳ１１でループする。なお、光源装置３０は、応急状態においても通常状態と同様の点灯を継続する。
【００５４】
ステップＳ１２では、制御部１０が、調光装置制御部１４を介して、応急調光制御として調光装置３３を通過する光量が減少するように制御する。これにより、光変調装置３６に入射する光束の光量が減少するので、光変調装置３６の発熱が抑えられる。
【００５５】
ここで、特許文献１に記載のプロジェクターのように、応急状態における動作として光源装置３０を消灯する場合、プロジェクター１の使用を強制的に中止させてしまうこととなる。これに対して、本実施形態の構成によれば、プロジェクター１を継続して使用できるので、使用者に不都合を強いることが避けられる。
【００５６】
また、特許文献１に記載のプロジェクターのように、光源装置３０に加えられる電力を低下させることで光変調装置３６に入射する光束の光量を減少させる場合、電源部１１の構成の複雑化や、光源ランプ３１を定格外の電圧で駆動することによる寿命劣化を招くおそれがある。これに対して、本実施形態の構成によれば、応急状態においても光源装置３０の通常の点灯状態を継続できるので、プロジェクター１を簡易な構成とすることができ、かつ、光源ランプ３１の寿命劣化を抑えることができる。
【００５７】
次に、ステップＳ１３では、制御部１０が、冷却ファン制御部１６を介して、吸気ファン４３の回転数（回転速度）が増加するように制御する。これにより、フィルター４１の目詰まりによる光変調装置３６等を冷却する空気の風量の減少が、吸気ファン４３の回転数増加により補われるので、冷却効率の低下を抑えることができる。
【００５８】
ここで、フィルター４１が目詰まりしている場合、吸気ファン４３の回転数を増加させただけでは、光変調装置３６の温度上昇を抑えられないことがあり得る。しかしながら、本実施形態では、ステップＳ１２の応急調光制御により光変調装置３６の発熱を抑えることと並行して、ステップＳ１３の吸気ファン４３の回転数増加により冷却効率の低下を抑えるので、光変調装置３６の異常な温度上昇を効果的に抑えることができる。
【００５９】
次に、ステップＳ１４では、制御部１０が、インジケーター部４８を所定の点灯パターンに基づいて点灯させるとともに、警告表示を重畳させた画像データをスクリーンＳ等の投写対象面に投写させることにより、フィルター４１の目詰まりが発生した旨の警告表示を行う。これにより、プロジェクター１を使用している使用者に、フィルター４１の目詰まりが発生していることを効果的に知らせ、プロジェクター１の使用を自主的に中止させることや、フィルター４１の掃除や交換等の処置を促すことができる。
【００６０】
以上で、応急状態における冷却制御動作のフローが終了する。
【００６１】
なお、内部温度と外部温度との差の増大や風量の減少が起きる要因としては、フィルター４１の目詰まりによる場合が多いが、回路構成部の異常、冷却ファンの異常、使用環境等による場合も考えられる。しかしながら、フィルター４１の目詰まり以外の要因で内部温度と外部温度との差の増大や風量の減少が起きた場合であっても、結果として光変調装置３６の温度が異常に上昇することとなるため、上述の応急状態の冷却制御を行うことで光変調装置３６の故障や品質の劣化を抑えることができる。
【００６２】
以上、本実施形態に係るプロジェクター１の構成によれば、以下の効果が得られる。
【００６３】
（１）フィルター４１の目詰まりが検出された場合、制御部１０は、調光装置３３を制御して光源装置３０から光変調装置３６に入射する光束の光量を減少させる。光変調装置３６に入射する光束の光量が減少することにより、光変調装置３６の発熱が抑制されるので、光変調装置３６の異常な温度上昇による故障や寿命劣化を抑えることができる。また、調光装置３３を制御することで光変調装置３６に入射する光束の光量を減少させるので、光源装置３０は通常の点灯状態を維持できる。これにより、プロジェクター１の利便性を損なうことなく、簡易な構成で光変調装置３６の異常な温度上昇を抑制して、故障が少なく長寿命化が図られたプロジェクター１を提供できる。
【００６４】
（２）フィルター４１の目詰まりが検出された場合、制御部１０は、光変調装置３６を冷却する吸気ファン４３を制御して吸気ファン４３の回転数を増加させる。このため、フィルター４１の目詰まりによる風量の減少が吸気ファン４３の回転数増加により補われるので、光変調装置３６の冷却効率の低下を抑えることができる。調光装置３３の制御により発熱が抑制されることに加えて冷却効率の低下が抑えられるので、光変調装置３６の故障や寿命劣化をより効果的に抑えることができる。
【００６５】
（３）検出制御部２１は、内部温度検出部２２で検出された内部温度と、外部温度検出部２４で検出された外部温度との差が所定値以上となった場合に、フィルター４１の目詰まりとして検出する。このように、外装ケース２の内部温度と外部温度との差に基づいて目詰まりを検出するので、目詰まりを容易に検出できるとともに、検出部を簡易に構成することができる。
【００６６】
（４）検出制御部２１は、風量検出部２６で検出された風量が所定値以下となった場合にも、フィルター４１の目詰まりとして検出する。このように、風量に基づいて目詰まりを検出するので、目詰まりを容易に検出できるとともに、検出部を簡易に構成することができる。
【００６７】
（５）フィルター４１の目詰まりが検出された場合、投写対象面に投写される画像に警告表示を行なうことにより、フィルター４１の目詰まりが発生したことを使用者に効果的に知らせることができる。
【００６８】
（６）フィルター４１の目詰まりが検出された場合、外装ケース２の外面に設置されたインジケーター部４８を点灯または点滅して警告表示を行なうことにより、フィルター４１の目詰まりが発生したことを使用者に効果的に知らせることができる。
【００６９】
以上、本発明のプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００７０】
（変形例１）
上記実施形態におけるプロジェクター１では、内部温度検出部２２および外部温度検出部２４と風量検出部２６とを備え、これらの検出部の検出結果に基づいて目詰まりを検出する構成であったが、これに限定されず、内部温度検出部２２および外部温度検出部２４、または風量検出部２６のいずれかを備えていない構成としてもよい。このようにすれば、プロジェクター１の構成をより簡易なものとすることができる。
【００７１】
（変形例２）
上記実施形態におけるプロジェクター１は、応急状態における冷却制御動作として、ステップＳ１２、ステップＳ１３、およびステップＳ１４を並行して実行する構成であったが、これに限定されず、ステップＳ１３またはステップＳ１４を実行しない構成としてもよい。
【００７２】
（変形例３）
上記実施形態におけるプロジェクター１は、フィルター４１の目詰まりが検出された場合の警告表示を、投写される画像に警告表示を行なうとともにインジケーター部４８で表示する構成であったが、これに限定されず、投写される画像に警告表示を行なうかインジケーター部４８で表示するかのいずれか一方としてもよい。
【００７３】
（変形例４）
上記実施形態におけるプロジェクター１は、冷却ファンとして、光変調装置３６に向けて送風する吸気ファン４３と排気ファン４６とを備えていたが、これに限定されず、光源装置３０に向けて送風するファン等を含め３つ以上のファンを備えていてもよい。
【００７４】
（変形例５）
上記実施形態におけるプロジェクター１では、外装ケース２の吸気口４０にダクト４２が接続されていたが、これに限定されず、ダクト４２を有していない構成であってもよい。ダクト４２を有していない場合、風量検出部２６は吸気口４０の近傍であって吸気口４０から導入される空気が流れる場所に配置されることが好ましい。
【００７５】
（変形例６）
上記実施形態におけるプロジェクター１は透過型のプロジェクターであったが、これに限定されず、例えば、反射型のプロジェクターであってもよい。ここで、「透過型」とは、透過型の液晶パネル等のように光変調装置が光を透過するタイプであることを意味しており、「反射型」とは、反射型の液晶パネル等のように光変調装置が光を反射するタイプであることを意味している。  
【００７６】
（変形例７）
上記実施形態におけるプロジェクター１は３つの液晶パネルを用いたプロジェクターであったが、これに限定されず、例えば、１つ、２つまたは４つ以上の液晶パネルを用いたプロジェクターであってもよい。
【００７７】
（変形例８）
上記実施形態のプロジェクター１の構成では、光変調装置として液晶パネルを用いていたが、これに限定されるものではない。光変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【００７８】
（変形例９）
本発明は、投写画像を観察する側から投写するフロント投写型プロジェクター、および、投写画像を観察する側とは反対の側から投写するリア投写型プロジェクターに適用することが可能である。
【符号の説明】
【００７９】
１…プロジェクター、２…外装ケース、１０…制御部、２０…検出部、２２…内部温度検出部、２４…外部温度検出部、２６…風量検出部、３０…光源装置、３３…調光装置、３６…光変調装置、４０…吸気口、４１…フィルター、４３…冷却ファンとしての吸気ファン。
【図１】
2012032583.tif 000003
【図２】
2012032583.tif 000004